(57)【要約】【課題】本発明の課題は、帳票ごとに異なるドットパターンが印刷された電子ペン用帳票において、同じドットパターンが重複しないように管理できる電子ペン用帳票、および、電子ペン用帳票が重複しないように管理する検査方法を提供することである。【解決手段】電子ペン（８００）によって読み取り可能で、かつ、当該電子ペン（８００）によって記入した記入情報をデジタル化するためのドットパターン（１０４）の集合を、ドットパターン形成領域（１１０）に形成してなる電子ペン用帳票（１００）において、前記ドットパターン（１０４）の集合は帳票ごとに異なるユニークなドットパターンからなり、かつ、前記ドットパターン形成領域（１１０）以外の領域に、前記ドットパターンの集合を特定する、機械読み取り可能なコード情報（１２０）を形成してなる、ことを特徴とする電子ペン用帳票（１００）である。【選択図】図１
2010073055.tif 000002
【特許請求の範囲】
【請求項１】
電子ペンによって読み取り可能で、かつ、当該電子ペンによって記入した記入情報をデジタル化するためのドットパターンの集合を、ドットパターン形成領域に形成してなる電子ペン用帳票において、
前記ドットパターンの集合は帳票ごとに異なるユニークなドットパターンからなり、
かつ、前記ドットパターン形成領域以外の領域に、前記ドットパターンの集合を特定する、機械読み取り可能なコード情報を形成してなる、
ことを特徴とする電子ペン用帳票。
【請求項２】
前記ドットパターン、および、前記コード情報は、赤外吸収インキによって印刷されている、
ことを特徴とする請求項１に記載の電子ペン用帳票。
【請求項３】
前記電子ペン用帳票上に形成される罫線・枠線・文字列・図柄などのいずれかに代表される帳票付帯情報は、赤外非吸収特性インキで印刷されている、
ことを特徴とする請求項１に記載の電子ペン用帳票。
【請求項４】
前記コード情報は、少なくともバーコード、二次元コードを含む、
ことを特徴とする請求項１または請求項２に記載の電子ペン用帳票。
【請求項５】
前記コード情報は、最終的に断裁除去される用紙上の領域に形成される
ことを特徴とする請求項１から請求項４のいずれか１項に記載の電子ペン用帳票。
【請求項６】
前記ドットパターン、および、前記コード情報は、コンピューターにつながる１台のカラープリンターによって用紙上に形成される、
ことを特徴とする請求項１から請求項５のいずれか１項に記載の電子ペン用帳票。
【請求項７】
請求項１から請求項６のいずれか１項に記載の電子ペン用帳票の検査方法において、
（１）前記電子ペン用帳票に印刷されたコード情報を読み取るステップと、
（２）前記読み取ったコード情報を相互に比較して、重複すれば、この重複したコード情報を含む重複報告をする重複検査ステップと、
（３）重複したコード情報を有する電子ペン用帳票を除去する重複除去ステップと、
を含んだ手順でなされることを特徴とする電子ペン用帳票の検査方法。
【発明の詳細な説明】
【技術分野】
【０００１】
本発明は、目視確認が不可能なドットパターンが印刷された電子ペン用帳票に関するものである。
本発明は特に、目視確認が不可能なドットパターンが印刷された電子ペン用帳票において、帳票ごとに異なるドットパターンが印刷された電子ペン用帳票を識別する場合に有用である。
【背景技術】
【０００２】
大量の手書き帳票の記入内容を情報処理するために、コンピューターへの入力業務を効率化することが益々重要となっている。
電子ペンにより情報取得可能なドットパターンが形成された電子ペン用帳票を用いることで、電子ペンで紙に手書き記入された情報は、直ちに電子化することが可能となる。
そこで、帳票における電子ペンにより情報取得可能なドットパターンの一般的な用い方と問題点について説明する。
【０００３】
《１．同一のドットパターンを用いた帳票》
複数のページから構成される帳票において、各ページのドットパターンが同じ場合には、帳票のページを区別するには、電子ペンにてページ番号を記入する必要がある。
そのため、ページに情報を記入するときには、ページ番号を記入しなければならず、使い勝手が悪く、不便である。
また、ページ番号の記入を忘れると、記入した情報のページを特定することができず、各ページの情報が混在し、重大なトラブルが発生する。
《２．帳票により異なるドットパターンを用いた帳票》
ページ毎に異なるドットパターンが印刷された帳票では、電子ペンでページ番号などの帳票のページを区別する情報を記入せずに情報を記入しても、ドットパターンを識別することでどの帳票に記入した情報であるかを識別することが可能となる。
そのため、帳票により異なるドットパターンを用いた帳票を用いるときには、同一のドットパターンを有する帳票が重複して存在すると、記入した情報の帳票を識別することが不可能となる。このとき、ドットパターンは微細な点の集合体であるために、ドットパターンの相違を目視確認することが不可能であるので、同一のドットパターンを有する帳票が重複していても、そのことに気づかない。
そこで、用紙に印刷されたドットパターンを識別可能にするためには、目視可能な情報を印刷する。
たとえば、特許文献１では、ドットパターンを有する用紙に対して、用紙の種類に応じてバーコードを設ける技術が開示されている。
【０００４】
【特許文献１】特開２００４−８８６７６号公報（段落００２０、段落００２６−段落００２７、図３）
【発明の開示】
【発明が解決しようとする課題】
【０００５】
しかしながら、特許文献１の技術では、バーコードは、用紙の種類を識別するために設けたものであるから、同一の種類の用紙において、用紙ごとに異なるドットパターンを設けてもドットパターンの相違を識別するために利用することはできない。
【０００６】
本発明は以上のような点を解決するためになされたものであって、本発明の課題は、帳票ごとに異なるドットパターンが印刷された電子ペン用帳票において、同じドットパターンが重複しないように管理できる電子ペン用帳票、および、電子ペン用帳票が重複しないように管理する検査方法を提供することである。
【課題を解決するための手段】
【０００７】
本発明は、以下の各態様に記載の手段により、前記課題を解決する。
すなわち、本願発明の第１の発明は、
電子ペン（８００）によって読み取り可能で、かつ、当該電子ペン（８００）によって記入した記入情報をデジタル化するためのドットパターン（１０４）の集合を、ドットパターン形成領域（１１０）に形成してなる電子ペン用帳票（１００）において、
前記ドットパターン（１０４）の集合は帳票ごとに異なるユニークなドットパターンからなり、
かつ、前記ドットパターン形成領域（１１０）以外の領域に、前記ドットパターンの集合を特定する、機械読み取り可能なコード情報（１２０）を形成してなる、
ことを特徴とする電子ペン用帳票（１００）である。
【０００８】
このように、ドットパターンの集合を特定するコード情報を比較して、コード情報が重複する場合には、重複するコード情報を有する電子ペン用帳票を排除することで、同じドットパターンの帳票が重複しないように管理することが可能である。
【０００９】
本願発明の第２の発明は、前記ドットパターン（１０４）、および、前記コード情報（１２０）は、赤外吸収インキによって印刷されている、
ことを特徴とする請求項１に記載の電子ペン用帳票（１００）である。
【００１０】
本願発明の第３の発明は、前記電子ペン用帳票上に形成される罫線・枠線・文字列・図柄などのいずれかに代表される帳票付帯情報（１３０）は、赤外非吸収特性インキで印刷されている、
ことを特徴とする請求項１に記載の電子ペン用帳票である。
【００１１】
本願発明の第４の発明は、前記コード情報（１２０）は、少なくともバーコード、二次元コードを含む、
ことを特徴とする請求項１または請求項２に記載の電子ペン用帳票である。
【００１２】
本願発明の第５の発明は、前記コード情報（１２０）は、最終的に断裁除去される用紙上の領域に形成される
ことを特徴とする請求項１から請求項４のいずれか１項に記載の電子ペン用帳票である。
【００１３】
本願発明の第６の発明は、前記ドットパターン（１０４）、および、前記コード情報（１２０）は、コンピューターにつながる１台のカラープリンター（３００）によって用紙上に形成される、
ことを特徴とする請求項１から請求項５のいずれか１項に記載の電子ペン用帳票である。
【００１４】
本願発明の第７の発明は、請求項１から請求項６のいずれか１項に記載の電子ペン用帳票（１００）の検査方法において、
（１）前記電子ペン用帳票（１００）に印刷されたコード情報（１２０）を読み取るステップと、
（２）前記読み取ったコード情報（１２０）を相互に比較して、重複すれば、この重複したコード情報（１２０）を含む重複報告をする重複検査ステップと、
（３）重複したコード情報（１２０）を有する電子ペン用帳票（１００）を除去する重複除去ステップと、
を含んだ手順でなされることを特徴とする電子ペン用帳票（１００）の検査方法である。
【発明の効果】
【００１５】
本願発明によれば、帳票ごとに異なるユニークなドットパターンからなる電子ペン用帳票において、
（１）ドットパターンと同時に印刷されたコード情報を用いることによって、電子ペン用帳票を確実に識別することが可能である。
（２）コード情報の重複があるか否かを検査することで、帳票のドットパターンが重複しているか否かを管理することが可能である。
従って、本発明によれば、目視確認が不可能なドットパターンが印刷された電子ペン用帳票が重複しないように管理することができるという効果がある。
【発明を実施するための最良の形態】
【００１６】
以下、図面等を参照しながら、本発明の実施の形態について、更に詳しく説明する。
【００１７】
図１は、本発明による電子ペン用帳票管理システム１の概要を説明する図である。
電子ペン用帳票管理システム１は、ネットワーク接続された印刷データ管理装置５００と可変印刷装置３００と、帳票検査装置７００と、から構成される。
【００１８】
印刷データ管理装置５００は、帳票ごとに異なるユニークなドットパターンからなる電子ペン用帳票を印刷するデータを管理する。電子ペン用帳票の印刷データは、ドットパターンと、帳票を識別するコード情報と、を含むデータである。
帳票を識別するコード情報とは、バーコード、あるいは、二次元コードである。
【００１９】
印刷データ管理装置５００は、既存のサーバーコンピューターである。
【００２０】
可変印刷装置３００は、電子ペン用帳票１００を印刷する。
可変印刷装置３００は、既存のカラープリンターである。
なお、可変印刷装置３００は、印刷データ管理装置５００に接続されたローカルプリンターであっても良い。
【００２１】
帳票検査装置７００は、電子ペン用帳票１００のドットパターンの重複の有無を検査する装置である。
帳票検査装置７００は、コードリーダー７０１（たとえば、バーコードリーダーやデジタルカメラ）を有するパーソナルコンピューターである。
バーコードリーダー７０１は、電子ペン用帳票のバーコードを読み取り、読み取ったバーコードの復号情報を帳票検査装置７００に送信する。
デジタルカメラ７０１は、電子ペン用帳票の二次元コードを読み取り、読み取ったコード情報の画像を帳票検査装置７００に送信する。
【００２２】
図２は電子ペン用帳票管理システム１の大まかな処理の流れを説明する図である。
《１．電子ペン用帳票の印刷》
印刷データ管理装置５００は、帳票ごとに異なるユニークなドットパターンデータと、帳票のドットパターンの集合を特定する情報を含むコード情報とを対応付けたデータを含む帳票印刷データを印刷装置３００に送信する（図２（１））。
印刷装置３００は、印刷データ管理装置５００から帳票印刷データを受信して、電子ペン用帳票１００を印刷する（同（２））。
【００２３】
《２．電子ペン用帳票の検査》
帳票検査装置７００は、全ての電子ペン用帳票のコード情報を読み取って、コード情報の重複の有無を検査する（同（３））。
帳票検査装置７００は、重複したコード情報を有する電子ペン用帳票１００を除去する（同（４））。
【００２４】
なお、検査を終了した電子ペン用帳票１００は、たとえば、束ねられて冊子形態のものになる。
【００２５】
図３は、電子ペン用帳票１００を説明する図である。
電子ペン用帳票１００は、電子ペンによって読み取り可能なドットパターンの集合を形成しているドットパターン形成領域１１０と、機械読み取り可能なコード情報１２０と、目視可能な帳票付帯情報１３０と、を有している。
ドットパターン形成領域１１０に形成されるドットパターンやコード情報１２０は、赤外吸収インキによって印刷されている。たとえば、赤外光を吸収する墨色トナーを使用する。
【００２６】
ドットパターン形成領域１１０に形成されるドットパターンは、電子ペン用帳票１００ごとに、異なるパターンである。（ドットパターンの詳細は後述する）
ドットパターン形成領域１１０に形成されるドットパターンは、電子ペンによって記入した記入情報をデジタル化するために用いる。
【００２７】
コード情報１２０は、バーコード、あるいは、二次元コードである。
コード情報１２０は、最終的に断裁除去される用紙上の領域に形成される。
図３の電子ペン用帳票のコード情報１２０としては、バーコードが例示されている。
【００２８】
帳票付帯情報１３０は、罫線や枠線や文字列や図柄などのいずれかに代表される情報である。
罫線は、たとえば、記入領域１３０ａの範囲を示すために用いる。文字列は、たとえば、記入領域１３０ａを説明するために用いる。
また、電子ペン用帳票１００としては、たとえば、記入領域１３０ａを示す枠線が印刷されている。
これらの帳票付帯情報１３０は、赤外非吸収特性インキで印刷されている。たとえば、赤外光を吸収しない黄、赤、青色トナーを使用する。なお、墨色に印刷するときに、赤外光を吸収しない墨色トナーを使用してもよい。
【００２９】
ここで、各電子ペン用帳票１００のドットパターン形成領域のドットパターンは、お互いに重複することはないため、同じ記入領域１３０ａのドットパターンは、電子ペン用帳票１００ごとに異なる。
【００３０】
次に、ドットパターンと電子ペンについて説明する。
電子ペンおよび電子ペン用帳票１００としては、例えば、アノト（登録商標）方式による電子ペンおよび電子ペン用帳票を用いて、以下に説明する。
【００３１】
図４から図６までは、電子ペン用帳票に形成されているドットパターンを説明する図である。
図４は、電子ペン用帳票１００のドットパターン拡大図である。
電子ペン用帳票１００のドットパターンの拡大図は、２ｍｍ四方に、６×６ドットで構成されるドットパターン１０４が配列されていることを示している。
６×６個のドットで構成されるドットパターン１０４は、電子ペン用帳票１００上のどの部分から取ってきても、ユニークなパターンとなるように、配列されている。
なお、６×６のドットパターン１０４は、電子ペン８００がドットパターンを読み取る単位である。
【００３２】
図５は、ドットパターンを構成するドットの符号化を説明する図である。
図５には、ドットパターンを構成するドットと、直交する仮想基準線５０５ａおよび５０５ｂが示されている。
各ドットは基準線の交点である基準点の上下左右のいずれかに配置されている。各ドットは、配置の位置に応じて所定の値が対応付けられて符号化される。
図５の（ａ）には、符号化値「０」対応付けられているドットが例示されている。
基準点の右に配置されているドットは、符号化値「０」が対応付けられている。
図５の（ｂ）には、符号化値「１」が対応付けられているドットが例示されている。
基準点の上に配置されているドットは、符号化値「１」が対応付けられている。
図５の（ｃ）には、符号化値「２」が対応付けられているドットが例示されている。
基準点の左に配置されているドットは、符号化値「２」が対応付けられている。
図５の（ｄ）には、符号化値「３」が対応付けられているドットが例示されている。
基準点の下に配置されているドットは、符号化値「１」が対応付けられている。
【００３３】
図６は、ドットパターンの符号化例である。
図６の（ａ）には、６×６ドットで構成されるドットパターン１０４が図示されている。
６×６ドットで構成されるドットパターン１０４には、直交する仮想基準線が引かれている。
図６の（ｂ）には、ドットパターンの符号化値を配列した例が示されている。
図６の（ｂ）で例示した符号化値の配列は、図６の（ａ）に示す各ドットを、図５の符号化方法によって、基準点からの配置位置に基づいて対応づけられた値に変換して符号化したものである。
この符号化は、ドットパターンの画像を撮影する電子ペン８００によって行われる。
【００３４】
このようにして、電子ペン８００が読み取ったドットパターンの画像は、符号化値の配列に変換される。
なお、この符号化値の配列は、位置座標（例えば、世界座標系における位置情報）と対応付けられている。（詳細は後述する）
【００３５】
従って、６×６ドットで構成されるドットパターン１０４の集合が、帳票ごとに異なるユニークなドットパターンからなっているので、電子ペン用帳票１００のドットパターン形成領域から６×６ドットのドットパターンを撮影すると、電子ペン用帳票上の位置座標を求めることができると同時に、電子ペン用帳票１００を識別することができる。
【００３６】
次に、電子ペンについて説明する。
電子ペンは、利用者が電子ペン用帳票１００上に記入した文字などに対応する記入情報に基づいて、記入内容をデジタルデータ化する機能を有する。
電子ペンは、通常のインクペンと同様のペン先部１７を備える。
利用者がペン先部１７によって電子ペン用帳票１００上に文字などを書くと、電子ペンは、ペン先部の移動軌跡に沿って、電子ペン用帳票１００に印刷されたドットパターンを局所的（＝６×６ドットのドットパターン１０４）に、連続的に読み取り、電子ペン用帳票１００におけるその局所位置の座標を算出し、記憶する。
電子ペンは、ペン先部１７が通常のインクペンとなっているため、電子ペン用帳票１００上に筆記した内容を残すことができる。
【００３７】
図７は、電子ペン８００の詳細な構成図である。
電子ペン８００は、ＣＰＵ１１と、記憶部１２と、データ通信部１３と、電源部１４と、照明部１５と、カメラ１６と、ペン先部１７と、圧力センサー１８と、専用プログラムとを備える。
【００３８】
ＣＰＵ１１は、中央演算装置である。
データ通信部１３は、無線送受信回路やＵＳＢ接続回路である。
データ通信部１３は、メモリ１２内の所定のデータを受信する端末装置と通信接続する。
ペン先部１７は、カーボンを含まないインクを供給する。
【００３９】
電源部１４は、二次電池である。
バッテリー１４は電子ペン８００内の各部品に電力を供給するためのものであり、例えば電子ペン８００のキャップ（図示せず）の脱着により電子ペン８００自体の電源のオン／オフを行うよう構成させてもよい。
【００４０】
圧力センサー１８は、利用者が電子ペン８００により電子ペン用帳票１００上に文字などを書く際にペン先部１７に与えられる圧力、すなわち筆圧を検出し、ＣＰＵ１１へ供給する。
【００４１】
カメラ１６は、デジタルカメラである。
照明部１５は、赤外線ＬＥＤである。
赤外線ＬＥＤ１５は、電子ペン８００のペン先付近に取り付けられており、電子ペン用帳票１００上のペン先部１７近傍に向けて、赤外線を照明する。
カメラ１６は、赤外線ＬＥＤ１５によって照明された領域のドットパターン（＝図４に示すような、約２ｍｍ×約２ｍｍの大きさを含む範囲）を撮影し、そのドットパターンの画像データをプロセッサ１１に供給する。この赤外線ＬＥＤ１５によって照明された領域は、ペン先部１７が電子ペン用帳票１００に接触する位置とはわずかにずれている。
赤外線ＬＥＤ１５によって照射された赤外線は、ドットに含まれるカーボンによって吸収されて、ドットの赤外線の反射量は少なく、ドット以外の赤外線の反射量は多い。
したがって、カメラ１６の撮影では、赤外線の反射量の違いから、カーボンを含むドットを区別することができる。
すなわち、撮影領域に、ドットと、付帯情報や電子ペン８００による記述などがあっても、カメラ１６は、ドットパターンのみを認識することができる。
なお、カメラ１６による撮影は、毎秒５０〜１００回程度行われる。
【００４２】
記憶部１２は、半導体メモリや磁気メモリである。
記憶部１２は、位置座標格納領域を有する。位置座標格納領域は、位置座標を格納する。
【００４３】
記憶部１２は、専用プログラムを記憶する。
専用プログラムは、ＣＰＵ１１に解釈・実行されることによって手段として実現・機能するプログラムである。専用プログラムによって実現される手段には、位置座標算出手段が含まれる。
【００４４】
以下に、専用プログラムの動作を説明する。
専用プログラムは、圧力センサー１８から与えられる筆圧データに基づいて、ＬＥＤ１５およびカメラ１６のスイッチオン／オフの切換を行う。
利用者が電子ペン８００で電子ペン用帳票１００上に文字などを書くと、ペン先部１７には筆圧がかかり、圧力センサー１８によって所定値以上の筆圧が検出されると、専用プログラムは、利用者が記入を開始したと判定して、ＬＥＤ１５およびカメラ１６を作動させる。
【００４５】
位置座標算出手段は、利用者の記入が行われる間、カメラ１６が連続的に供給するドットパターンの画像データを適用して、位置座標を算出して位置座標格納領域に格納する。詳細には、位置座標算出手段は、カメラ１６が供給するドットパターンの画像データを符号化値の配列に変換し、配列された符号化値を用いて所定の演算方法により座標情報を算出する。
このとき、専用プログラムは、電子ペン８００に内蔵のクロック（図示せず）から時刻情報を取得し、その時刻情報と、圧力センサー１８から取得した筆圧データと、位置座標算出手段が取得した座標情報とを関連付けて、位置座標格納領域に格納しても良い。
【００４６】
以上説明したように、本発明による電子ペン用帳票管理システム１によって管理された電子ペン用帳票は、各電子ペン用帳票のドットパターン形成領域のドットパターンが、お互いに重複することはない。従って、電子ペン８００が電子ペン用帳票に情報を記入することで得た座標情報を適用して、記入された情報を、電子ペン用帳票１００ごとに分類することができる。
【図面の簡単な説明】
【００４７】
【図１】本発明による電子ペン用帳票管理システム１の概要を説明する図
【図２】電子ペン用帳票管理システム１の大まかな処理の流れを説明する図
【図３】電子ペン用帳票１００を説明する図
【図４】電子ペン用帳票１００のドットパターン拡大図
【図５】ドットパターンを構成するドットの符号化を説明する図
【図６】ドットパターンの符号化例
【図７】電子ペン８００の詳細な構成図
【符号の説明】
【００４８】
１  本発明による電子ペン用帳票管理システム
１００  電子ペン用帳票
１０４  ６×６のドットパターン
１１０  ドットパターン形成領域
１２０  コード情報
１３０  帳票付帯情報
３００  可変印刷装置
５００  印刷データ管理装置
７００  帳票検査装置
７０１  コードリーダー、バーコードリーダー、デジタルカメラ
８００  電子ペン
【図１】
2010073055.tif 000003
【図２】
2010073055.tif 000004
【図３】
2010073055.tif 000005
【図４】
2010073055.tif 000006
【図５】
2010073055.tif 000007
【図６】
2010073055.tif 000008
【図７】
2010073055.tif 000009